(57)【要約】【課題】端子台に電線を接続する作業がしやすい照明器具を提供する。【解決手段】照明器具１は、光源２０と、端子台３と、端子台３が取り付けられる端子台取付部材１１と、カバー４と、を備える。カバー４は、端子台取付部材１１を内部に収容して端子台取付部材１１が取り付けられる。カバー４は、軸線４０を囲む筒状をした側壁４２と、側壁４２の軸線４０方向の一端部に形成されて端子台取付部材１１が通る開口４３と、を有する。端子台取付部材１１は、板状部材により形成されており、一部に端子台３が取り付けられる端子台取付部１３を有する。端子台取付部１３は、側壁４２の内面から所定の長さ以下の隙間をあけて離間するか又は内面と接触し、法線１４１の向きが軸線４０に沿ってかつ開口４３を向く向きに対して１５度以上７５度以下の角度で傾斜する端子台取付面１４を有する。【選択図】図３
2020077593.tif 000002
【特許請求の範囲】
【請求項１】
光源と、
端子台と、
前記端子台が取り付けられる端子台取付部材と、
前記端子台取付部材を内部に収容して前記端子台取付部材が取り付けられるカバーと、を備え、
前記カバーは、軸線を囲む筒状をした側壁と、前記側壁の前記軸線方向の一端部に形成されて前記端子台取付部材が通る開口と、を有し、
前記端子台取付部材は、板状部材により形成されており、一部に前記端子台が取り付けられる端子台取付部を有し、
前記端子台取付部は、前記側壁の内面から所定の長さ以下の隙間をあけて離間するか又は前記内面と接触し、法線の向きが前記軸線に沿ってかつ前記開口を向く向きに対して１５度以上７５度以下の角度で傾斜する端子台取付面を有する
照明器具。
【請求項２】
前記端子台取付部に取り付けられた前記端子台の周囲を覆う覆い壁部を更に備え、
前記覆い壁部は、前記端子台から所定の長さ以下の隙間をあけるための端子台スリット又は端子台開口を有する
請求項１に記載の照明器具。
【請求項３】
前記端子台取付部材は、前記軸線方向の他端側の部分において前記カバーに取り付けられており、
前記端子台取付部は前記端子台取付部材の前記カバーに取り付けられた部分よりも前記軸線方向の一端側に位置している
請求項１又は２に記載の照明器具。
【請求項４】
建物に取り付けられる板状部分を有し、前記カバーの前記開口に位置して前記カバーが取り付けられる建物取付部材と、
前記建物取付部材に一端側が接続され、前記カバーに他端側が接続されるワイヤと、を更に備える
請求項１〜３のいずれか一項に記載の照明器具。
【請求項５】
前記建物取付部材は、一部に前記端子台に接続される電線が通る電線スリット又は電線開口を一部に有し、
前記端子台は、前記軸線方向に見て、前記電線スリット又は電線開口と異なる位置に位置している
請求項４に記載の照明器具。
【請求項６】
前記ワイヤの他端側は、前記軸線方向に見て、前記端子台取付部材が取り付けられた前記カバー全体の重心よりずれた位置において前記カバーに接続されており、
前記端子台取付部は、前記軸線方向に見て、前記ワイヤの他端側の前記カバーに接続されている部分と、前記重心を挟んで反対側に位置している
請求項４又は５に記載の照明器具。
【請求項７】
前記ワイヤを介して前記端子台取付部材が取り付けられた前記カバーが吊り下げられた状態において、前記ワイヤが前記カバーの前記開口の縁部に接触する
請求項４〜６のいずれか一項に記載の照明器具。
【請求項８】
前記ワイヤの前記建物取付部材に取り付けられている前記一端側は、前記軸線方向と交差している
請求項４〜７のいずれか一項に記載の照明器具。
【請求項９】
前記ワイヤが前記カバー内で移動するのを規制する規制部を備える
請求項４〜８のいずれか一項に記載の照明器具。
【発明の詳細な説明】
【技術分野】
【０００１】
本開示は、照明器具に関し、更に詳しくは、端子台が取り付けられる端子台取付部材とカバーとを備える照明器具に関する。
【背景技術】
【０００２】
従来、電源端子台と、電源端子台を収容する筐体からなる本体と、を備える照明器具が知られている（例えば特許文献１参照）。この照明器具は、本体の一端側に端子露出孔を有し、端子露出孔を介して外部電線が電源端子台に接続される。
【先行技術文献】
【特許文献】
【０００３】
【特許文献１】特開２０１６−１６２５０６号公報
【発明の概要】
【発明が解決しようとする課題】
【０００４】
ここで、電源端子台の差し込み面が端子露出孔の方を向いていると、端子露出孔からの異物が差し込み面に到達しやすい。しかし、差し込み面が端子露出孔と直交する方向を向いていると、外部電線を接続しにくい。
【０００５】
本開示は上記従来の問題点に鑑みて発明したものであって、端子台に電線を接続する作業がしやすい照明器具を提供することを目的とする。
【課題を解決するための手段】
【０００６】
上記課題を解決するために、本開示に係る一形態の照明器具は、光源と、端子台と、前記端子台が取り付けられる端子台取付部材と、カバーと、を備える。前記カバーは、前記端子台取付部材を内部に収容して前記端子台取付部材が取り付けられる。前記カバーは、軸線を囲む筒状をした側壁と、前記側壁の前記軸線方向の一端部に形成されて前記端子台取付部材が通る開口と、を有する。前記端子台取付部材は、板状部材により形成されており、一部に前記端子台が取り付けられる端子台取付部を有する。前記端子台取付部は、前記側壁の内面から所定の長さ以下の隙間をあけて離間するか又は前記内面と接触し、法線の向きが前記軸線に沿ってかつ前記開口を向く向きに対して１５度以上７５度以下の角度で傾斜する端子台取付面を有する。
【発明の効果】
【０００７】
本開示に係る一形態の照明器具にあっては、端子台に電線を接続する作業がしやすい。
【図面の簡単な説明】
【０００８】
【図１】図１は、本開示の一実施形態に係る照明器具を上側から見た斜視図である。
【図２】図２は、同上の照明器具を上側から見た分解斜視図である。
【図３】図３は、同上の照明器具の平面視における中心を通り左右と直交する平面で切断した断面図である。
【図４】図４は、同上の照明器具の平面視における中心を通り前後と直交する平面で切断した断面図である。
【図５】図５は、同上の照明器具の第１ケース体、機器が取り付けられた第２ケース体及び端子台の上側から見た分解斜視図である。
【図６】図６は、同上の照明器具のケースとカバーの上側から見た分解斜視図である。
【図７】図７は、同上のカバーの平面図である。
【図８】図８は、同上の照明器具の建物取付部材を除いた平面図である。
【図９】図９は、同上のカバーと建物取付部材の上側から見た分解斜視図である。
【図１０】図１０は、同上の照明器具の支持片を通り左右と直交する平面で切断した断面図である。
【図１１】図１１は、同上の照明器具の建物取付部材を除く部分がワイヤを介して建物取付部材より吊り下げられる状態を示す斜視図である。
【発明を実施するための形態】
【０００９】
本開示に係る照明器具の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１０】
図１に示すように、以下に説明する一実施形態に係る照明器具１は、高層ビルや大型商業施設などの建物に設置され、当該建物に設置されている非常用電源から電源供給を受けて非常時照明を行う、いわゆる電源別置形非常時用照明器具である。なお、照明器具１は、建物内の天井材に直付けされて天井に設置される。
【００１１】
図２〜図４に示すように、照明器具１は、光源２０と、端子台３と、端子台３が取り付けられる端子台取付部材１１と、端子台取付部材１１等を内部に収容するカバー４と、を備える。なお、以下の説明で使用する上下及び前後左右の各方向は、特に断りの無い限り、図２において規定した方向とする。
【００１２】
光源２０は、光源ブロック２に含まれる。光源ブロック２は、ＬＥＤ（Light Emitting Diode）からなる光源２０と、光源２０を支持するホルダ２１と、レンズ２２と、レンズ２２を支持するレンズホルダ２３と、取付板２４と、放熱シート２５とを有している。光源２０は、例えば、パッケージ型の照明用白色ＬＥＤである。ただし、光源２０は、ＬＥＤに限定されず、有機エレクトロルミネセンス素子などのＬＥＤ以外の固体発光素子であってもかまわない。光源２０にはリード２６が接続され、リード２６はリードホルダ２７に保持される。
【００１３】
取付板２４は、概ね板状をした部材からなり、例えば、アルミニウム製又はアルミニウム合金製の板材によって形成されている。取付板２４の下面側に、光源２０を支持するホルダ２１が取り付けられる。取付板２４の上面側に、放熱シート２５が設けられる。放熱シート２５の下面は、ホルダ２１の上面と接触する。光源２０から発せられる熱は、ホルダ２１及び放熱シート２５を介して放熱される。
【００１４】
レンズ２２は、光源２０から放射される光の配光を制御する。レンズ２２は、光源２０を覆うようにレンズホルダ２３によって取付板２４の下面に取り付けられる。レンズホルダ２３は、ねじからなる固着具２８により、後述するケース６に取り付けられる。光源ブロック２がケース６に取り付けられた状態で、光源２０から発せられる光の向き（光軸の向き）は、下方を向く。
【００１５】
図２に示すように、照明器具１は、点灯装置を備える。点灯装置は、点灯回路ブロック５、端子台３等を備えている。端子台３は、例えば、ねじなし端子台で構成されている。この種のねじなし端子台（速結端子台とも呼ばれる。）は、直方体形状に形成され、２対の１次側（電源側）の差込孔３１と、２対の２次側（負荷側）の差込孔３２とを差込面３３に有している。つまり、端子台３は、それぞれの差込孔３１、３２に導体（例えば、銅製の単線）を差し込むだけで導体との電気的な接続を完了させることができる。端子台３の２次側の差込孔３２には、点灯回路ブロック５に電気的に接続される、２次側の２本の電線の各導体が１つずつ差し込まれる。端子台３の１次側の２対の差込孔３１には、非常用電源からの給電が行われる一対の電線の導体と、送り配線用の一対の電線の導体とが各々１つずつ差し込まれる。
【００１６】
点灯回路ブロック５は、両面プリント配線板からなる回路基板５１と、回路基板５１に実装されている種々の回路部品５２と、放熱部材５３と、絶縁シート５４と、取付板５５と、を有している。点灯回路ブロック５は、非常用電源から供給される電源電圧（交流電圧又は直流電圧）を無極性化するための整流回路、整流回路から入力する入力電圧を昇圧又は降圧するコンバータ回路、コンバータ回路を制御する制御回路などを備えている。点灯回路ブロック５は、コンバータ回路から光源２０に電流を流して光源２０を点灯させる。
【００１７】
回路基板５１の前面に放熱部材５３の後面が接触し、放熱部材５３の前面に絶縁シート５４の後面が接触する。取付板５５は、前片５５１と右片５５２とを有する平面視Ｌ字状をしており、絶縁シート５４の前面が取付板５５の前片５５１の後面に接触する。絶縁シート５４は、取付板５５の前面に位置する絶縁部５４１と、絶縁部５４１から延出する延出部５４２と、を有する。延出部５４２は、回路基板５１を上下軸回りに囲み、上下方向に開放されている。延出部５４２は、回路基板５１の上下軸回りの一部に位置する。延出部５４２は、絶縁部５４１から延出される先端部が自由端となっている。絶縁シート５４の上下方向に沿う長さは、回路基板５１の上下方向に沿う長さと同じである。なお、絶縁シート５４の上下方向に沿う長さは、回路基板５１の上下方向に沿う長さより長くてもよい。
【００１８】
照明器具１は、ケース６を備える。ケース６は、第１ケース体６０と、第２ケース体６５と、を有する。第１ケース体６０は、後片６１と、左側の側片６２と、右側の側片６３と、後取付片６４と、端子台取付部１３と、を有する。本実施形態では、第１ケース体６０が、端子台取付部材１１を構成する。端子台取付部材１１は、屈曲した板状部材により形成されており、一部に端子台３が取り付けられる端子台取付面１４を有する。端子台取付部１３には概ね前後に貫通する孔１３１が形成されている。後側より端子台取付部１３の孔１３１にねじからなる固着具１３２が通され、端子台３の後面に形成されたねじ孔に固着具がねじ込まれて、端子台３が端子台取付部１３の端子台取付面１４に取り付けられる。
【００１９】
第２ケース体６５は、上片６６と、前片６７と、下片６８と、左右一対の前取付片６９と、を有する。前取付片６９には上下に貫通する孔６９１が形成されている。下片６８には、リードホルダ２７が通るリード孔６８１が上下に貫通するように形成されている。下片６８には、光源ブロック２が取り付けられる。言い換えると、下片６８が光源ブロック取付部となる。また、前片６７には、点灯回路ブロック５が取り付けられる。言い換えると、前片６７は、点灯回路ブロック取付部となる。前片６７には、前後に貫通するねじ孔６７１が形成されている。回路基板５１のねじ孔６７１に対応する位置には、前後に貫通する孔５１１が形成されている。絶縁シート５４のねじ孔６７１に対応する位置には、前後に貫通する孔５４３が形成されている。取付板５５の前片６７のねじ孔６７１に対応する位置には、前後に貫通する孔５５３が形成されている。後側より、回路基板５１の孔５１１、絶縁シート５４の孔５４１及び取付板５５の孔５５３に、ねじからなる固着具６７２が通され、前片６７に形成されたねじ孔６７１に固着具６７２がねじ込まれる。これにより、図５に示すように、点灯回路ブロック５が第２ケース体６５に取り付けられる。
【００２０】
図２に示すように、第１ケース体６０の後取付片６４には、ねじからなる固着具６８４が通る上下に貫通する孔が形成されている。第２ケース体６５の下片６８には、固着具６８４がねじ込まれるねじ孔６８３が形成されている。上側より、第１ケース体６０の後取付片６４の孔に固着具６８４が通され、第２ケース体６５の下片６８のねじ孔６８３に固着具６８４がねじ込まれて、第１ケース体６０が第２ケース体６５に取り付けられる。このようにして、図６に示すように、第１ケース体６０と第２ケース体６５とにより、ケース６が構成される。図５、図６に示すように、第２ケース体６５の上片６６が、端子台取付部１３に取り付けられた端子台３の周囲の一部（端子台３の上方）を覆う覆い壁部１５として機能する。図６に示すように、覆い壁部１５は、端子台３から所定の長さ以下の隙間をあけるための端子台スリット１５１を有する。なお、端子台スリット１５１の代わりに端子台開口を有してもよい。
【００２１】
図５に示すように、第１ケース体６０の左側の側片６２が端子台３の周囲の左方を覆う覆い壁部として機能する。また、第１ケース体６０の右側の側片６３が端子台３の周囲の右方を覆う覆い壁部として機能する。これにより、作業者が端子台３に誤って触れるのが抑制される。
【００２２】
図６及び図７に示すように、カバー４は、円形の底壁４１と、上下方向に延びる軸線４０（図３参照）を囲む筒状をした側壁４２と、を有する。側壁４２は、円筒状であってもよいが、本実施形態では、下方へ行く程径がわずかに小さくなるテーパを有している。側壁４２の軸線４０方向の一端部（本実施形態における上端部）には、光源２０及び端子台３が取り付けられた端子台取付部材１１が通る開口４３が形成される。
【００２３】
カバー４は、アルミダイカストにより形成されている。なお、カバー４は、アルミニウム以外の鋼等の金属製であってもよい。カバー４は、良好な熱伝導性を有することが好ましく、この点から金属製であることが好ましい。カバー４は、端子台取付部材１１を内部に収容した状態で、端子台取付部材１１が取り付けられる。
【００２４】
底壁４１の中央に、円形の窓開口４１１が開口している。側壁４２の上部の左右の部分に、一対の孔４２１が左右に貫通するように形成されている。
【００２５】
図３に示すように、端子台取付部材１１は、軸線４０方向の他端側の部分（本実施形態では下端側の部分）においてカバー４に取り付けられている。具体的には、図７に示すように、カバー４の底壁４１の後側の部分の左側に、ねじ孔４１２が形成されている。また、第１ケース体６０の後取付片６４のねじ孔４１２に対応する位置には、ねじからなる固着具４１３の頭部が通る孔が形成されている。なお、本開示において、単にねじからなる固着具が通る孔という場合、ねじの軸部が通るが、ねじの頭部は通らないものとする。第２ケース体６５の下片６８のねじ孔４１２に対応する位置には、固着具４１３が通る孔６８２が形成されている。
【００２６】
上側より、第１ケース体６０の後取付片６４に形成された孔及び第２ケース体６５の下片６８に形成された孔６８２に固着具４１３が通され、カバー４の底壁４１のねじ孔４１２に固着具４１３がねじ込まれる。また、上側より、第２ケース体６５の前取付片６９に形成された孔６９１に、ねじからなる固着具６９２が通され、カバー４の底壁４１に形成されたねじ孔４１７に固着具６９２がねじ込まれる。これにより、図８、図３に示すように、ケース６がカバー４に取り付けられる。
【００２７】
また、図７に示すように、カバー４の底壁４１の後側の部分の右側に、切欠からなり、固着具６８４との干渉を避けるための凹部４１４が形成されている。
【００２８】
図９に示すように、照明器具１は、建物取付部材７と、ワイヤ８と、を更に備える。図１、図２に示すように、建物取付部材７は、建物に取り付けられる板状部分を有し、カバー４の開口４３に位置してカバー４が取り付けられる。建物取付部材７は、板状部分となる天板７１と、前側の脚片７２と、左右一対の脚片７３と、左右一対の固定片７４と、を有している。建物取付部材７は、鋼板などの金属板によって一体に形成されている。
【００２９】
図２に示すように、天板７１は、四辺のうちの対向する二辺が弧状である四辺形状に形成されている。天板７１の前端部には、上下に貫通するだるま孔７１１が形成されている。天板７１の後端部には、上下に貫通する孔７１２が形成されている。建物取付部材７は、一部に端子台３に接続される電線が通る電線開口７１０を一部に有する。なお、電線開口７１０の代わりに電線スリットが形成されてもよい。
【００３０】
図９に示すように、ワイヤ８は、一端側に、孔を有する接続部８１を有する。接続部８１の孔に後側よりねじからなる固着具７２２が通され、建物取付部材７の脚片７２に形成されたねじ孔７２１にねじ込まれる。これにより、ワイヤ８の一端側が建物取付部材７に接続される。
【００３１】
ワイヤ８は、他端側に、孔を有する接続部８２を有する。接続部８２の孔に上側よりねじからなる固着具４１６が通され、カバー４の底壁４１の前側の部分に左側に形成されるねじ孔４１５（図７参照）に固着具４１６がねじ込まれる。これにより、ワイヤ８の他端側がカバー４に接続される。ワイヤ８が設けられることにより、カバー４が落下するのが抑制される。
【００３２】
図２に示すように、建物取付部材７の固定片７４に、左右に貫通するねじ孔７４１が形成されている。カバー４の側壁４２の上部の左右の部分に形成された一対の孔４２１に、
外側よりねじからなる固着具７４２が通され、固着具７４２がねじ孔７４１にねじ込まれることにより、カバー４が建物取付部材７に取り付けられる。
【００３３】
図３に示すように、端子台取付面１４の法線１４１の向きが軸線４０に沿ってかつ開口４３を向く向きに対して１５度以上７５度以下の角度で傾斜する。これにより、図９に示すように、カバー４に開口４３より電線を挿入して差込孔３１、３２に差し込みやすい。
【００３４】
また、端子台３は、軸線４０方向に見て、電線開口７１０と異なる位置に位置している。これにより、ほこり等のごみが開口４３より侵入して端子台３に付着しにくい。
【００３５】
図３に示すように、端子台取付部１３は、端子台取付部材１１のカバー４に取り付けられた部分よりも軸線４０方向の一端側（本実施形態では上側）に位置している。このため、図２に示すように、電線を差込孔３１、３２に差し込む際に、端子台取付部材１１が撓むおそれがある。そこで、図１０に示すように、端子台取付部１３は、カバー４の側壁４２の内面から所定の長さ以下の隙間１３０をあけて離間している。更に説明すると、端子台取付部１３は板状をしており、左右の端部が後側に屈曲して、支持片１３３が形成されている。この支持片１３３と、カバー４の側壁４２の内面との間に、所定の長さ以下の隙間１３０が形成されるようにしている。この場合、電線を差込孔３１、３２に差し込む際に、端子台取付部材１１が撓んでも、支持片１３３が所定の長さ分移動すると、カバー４の側壁４２の内面に接触し、それ以上撓むのが抑制される。これにより、端子台取付部材１１が大きく撓んで塑性変形してしまうのが抑制される。所定の長さは、端子台取付部材１１が塑性変形しない範囲、すなわち、端子台取付部材１１が弾性変形する範囲内で決められることが好ましい。なお、端子台取付部１３は、側壁４２の内面と接触してもよい。
【００３６】
図８に示すように、ワイヤ８の他端側の接続部８２は、端子台取付部材１１が取り付けられたカバー４全体の重心よりずれた位置においてカバー４に接続されている。また、端子台取付部１３は、ワイヤ８の他端側の接続部８２のカバー４に接続されている部分と、重心を挟んで反対側に位置している。このため、図１１に示すように、ワイヤ８を介して端子台取付部材１１が取り付けられたカバー４が吊り下げられると、端子台取付部１３が位置している部分が下がり、差込面３３が概ね上方を向く。ワイヤ８はカバー４の開口４３の縁部に接触する。これにより、ワイヤ８がカバー４内に収容されやすくなる。
【００３７】
また、図４に示すように、ワイヤ８の建物取付部材７に取り付けられている一端側の接続部８１は、軸線４０方向と交差している。これにより、電線を差込孔３１、３２に差し込む作業がより一層しやすくなる。
【００３８】
また、図２に示すように、第２ケース体６５の前片６７にフランジ部６７３がある。また、図７に示すように、カバー４の側壁４２の内面の前側の左右にそれぞれ、間にスリット４２２を形成するリブ４２３が形成される。図８に示すように、フランジ部６７３はリブ４２３の間のスリット４２２に入る。これにより、ワイヤ８がカバー４内でリブ４２３及びフランジ部６７３を超えて移動するのが規制される。リブ４２３及びフランジ部６７３は、ワイヤ８がカバー４内で移動するのを規制する規制部１６となる。
【００３９】
以上、述べた実施形態から明らかなように、第１の態様の照明器具１は、光源２０と、端子台３と、端子台３が取り付けられる端子台取付部材１１と、カバー４と、を備える。カバー４は、端子台取付部材１１を内部に収容して端子台取付部材１１が取り付けられる。カバー４は、軸線４０を囲む筒状をした側壁４２と、側壁４２の軸線４０方向の一端部に形成されて端子台取付部材１１が通る開口４３と、を有する。端子台取付部材１１は、板状部材により形成されており、一部に端子台３が取り付けられる端子台取付部１３を有する。端子台取付部１３は、側壁４２の内面から所定の長さ以下の隙間１３０をあけて離間するか又は内面と接触し、法線１４１の向きが軸線４０に沿ってかつ開口４３を向く向きに対して１５度以上７５度以下の角度で傾斜する端子台取付面１４を有する。
【００４０】
第１の態様によれば、カバー４に開口４３より電線を挿入して、端子台３に電線を接続する作業がしやすい。
【００４１】
第２の態様では、第１の態様との組み合わせにより実現される。第２の態様では、照明器具１は、端子台取付部１３に取り付けられた端子台３の周囲を覆う覆い壁部１５を更に備える。覆い壁部１５は、端子台３から所定の長さ以下の隙間をあけるための端子台スリット１５１又は端子台開口を有する。
【００４２】
第２の態様によれば、作業者が端子台３に誤って触れるのが抑制される。
【００４３】
第３の態様では、第１又は第２の態様との組み合わせにより実現される。第３の態様では、端子台取付部材１１は、軸線４０方向の他端側の部分においてカバー４に取り付けられている。端子台取付部１３は、端子台取付部材１１のカバー４に取り付けられた部分よりも軸線４０方向の一端側に位置している。
【００４４】
第３の態様によれば、端子台取付部１３が位置している部分が下がり、電線を端子台３に接続する作業がより一層しやすくなる。
【００４５】
第４の態様では、第１〜第３のいずれかの態様との組み合わせにより実現される。第４の態様では、照明器具１は、建物取付部材７と、ワイヤ８と、を更に備える。建物取付部材７は、建物に取り付けられる板状部分を有し、カバー４の開口４３に位置してカバー４が取り付けられる。ワイヤ８は、建物取付部材７に一端側が接続され、カバー４に他端側が接続される。
【００４６】
第４の態様によれば、カバー４が落下するのが抑制される。
【００４７】
第５の態様では、第４の態様との組み合わせにより実現される。第５の態様では、建物取付部材７は、一部に端子台３に接続される電線が通る電線スリット又は電線開口７１０を一部に有する。端子台３は、軸線４０方向に見て、電線スリット又は電線開口７１０と異なる位置に位置している。
【００４８】
第５の態様によれば、ほこり等のごみが開口４３より侵入して端子台３に付着しにくい。
【００４９】
第６の態様では、第４又は第５の態様との組み合わせにより実現される。第６の態様では、ワイヤ８の他端側は、軸線４０方向に見て、端子台取付部材１１が取り付けられたカバー４全体の重心よりずれた位置においてカバー４に接続されている。端子台取付部１３は、軸線４０方向に見て、ワイヤ８の他端側のカバー４に接続されている部分と、重心を挟んで反対側に位置している。
【００５０】
第６の態様によれば、ワイヤ８を介して端子台取付部材１１が取り付けられたカバー４が吊り下げられると、端子台取付部１３が位置している部分が下がり、電線を端子台３に接続する作業がより一層しやすくなる。
【００５１】
第７の態様では、第４〜第６のいずれかの態様との組み合わせにより実現される。第７の態様では、ワイヤ８を介して端子台取付部材１１が取り付けられたカバー４が吊り下げられた状態において、ワイヤ８がカバー４の開口４３の縁部に接触する。
【００５２】
第７の態様によれば、ワイヤ８を介して端子台取付部材１１が取り付けられたカバー４が吊り下げられると、ワイヤ８がカバー４の開口４３の縁部に接触して端子台取付部１３が位置している部分が下がり、電線を端子台３に接続する作業がより一層しやすくなる。
【００５３】
第８の態様では、第４〜第７のいずれかの態様との組み合わせにより実現される。第８の態様では、ワイヤ８の建物取付部材７に取り付けられている一端側は、軸線４０方向と交差している。
【００５４】
第８の態様によれば、ワイヤ８がカバー４内に収容されやすくなる。
【００５５】
第９の態様では、第４〜第８のいずれかの態様との組み合わせにより実現される。第９の態様では、照明器具１は、ワイヤ８がカバー４内で移動するのを規制する規制部１６を備える。
【００５６】
第９の態様によれば、ワイヤ８がカバー４内で規制部１６を超えて移動するのが規制される。
【符号の説明】
【００５７】
１      照明器具
１１    端子台取付部材
１３    端子台取付部
１３０  隙間
１４    端子台取付面
１４１  法線
１５    覆い壁部
１５１  端子台スリット
１６    規制部
２０    光源
３      端子台
４      カバー
４０    軸線
４２    側壁
４２２  スリット
４２３  リブ
４３    開口
７      建物取付部材
７１０  電線開口
８      ワイヤ
【図１】
2020077593.tif 000003
【図２】
2020077593.tif 000004
【図３】
2020077593.tif 000005
【図４】
2020077593.tif 000006
【図５】
2020077593.tif 000007
【図６】
2020077593.tif 000008
【図７】
2020077593.tif 000009
【図８】
2020077593.tif 000010
【図９】
2020077593.tif 000011
【図１０】
2020077593.tif 000012
【図１１】
2020077593.tif 000013